(57)【要約】      （修正有）【課題】採泥用の船体を軽量に構成して、運搬や取扱いを容易に行えるようにし、また採泥器自体の取り扱いを容易とする。【解決手段】インフレータブルボート２の気胴３上に作業用デッキ５を設置すると共に、底布と作業用デッキ５の対応個所の夫々に、ピストンコアラーを挿通させるための開口部７、８を形成すると共に、作業用デッキ５の上側にピストンコアラーを吊持するための櫓９とウインチ機構１１を設置した採泥用ボートを提案する。【選択図】図１
2010285133.tif 000002
【特許請求の範囲】
【請求項１】
インフレータブルボートの気胴上に作業用デッキを設置すると共に、底布と作業用デッキの対応個所の夫々に、ピストンコアラーを挿通させるための開口部を形成すると共に、作業用デッキの上側にピストンコアラーを吊持するための櫓とウインチ機構を設置したことを特徴とする採泥用ボート。
【請求項２】
底布の上方に周囲壁を設置し、この周囲壁に底布を水密的に固定して開口部の防水加工を行うことを特徴とする請求項１に記載の採泥用ボート。
【請求項３】
インフレータブルボートの側方にアウトリガー浮体を設置したことを特徴とする請求項１又は２に記載の採泥用ボート。
【請求項４】
請求項１〜３までのいずれか１項に記載の採泥用ボートと、この採泥用ボートに設置した櫓により吊持されるピストンコアラーとから構成される採泥装置。
【請求項５】
ピストンコアラーは、採泥用管体の上部に配置する主ウェイトを、ケースと、ケース内に収容する複数のウェイトとから構成したことを特徴とする請求項４に記載の採泥装置。
【請求項６】
ケースを採泥用管体に沿って移動可能とすることを特徴とする請求項５に記載の採泥装置。
【発明の詳細な説明】
【技術分野】
【０００１】
本発明は採泥用ボート及び採泥装置に関するものである。
【背景技術】
【０００２】
従来、海、河川、湖沼における底の泥土等の採取は、採泥器を設置した船を、海等の水面に浮かべて行っている。
【０００３】
採泥器の一つとしては、例えば特許文献１や特許文献２に示されるような柱状採泥器がある。柱状採泥器は、下端に泥ストッパーを設けた採泥管体の上部に錘を設置して、錘の重量により採泥管体を海底等に貫入させて採泥を行うものである。そして柱状採泥器としては、特許文献２に示されるように、採泥管体の上部に設けた錘の他に、採泥管体を自由落下させるためのトリガーとして動作させる錘を設けたピストンコアラーがある。
【０００４】
このように採泥器は、採泥管体を海底等に貫入させるための錘を有するものであるため、比較的大掛かりとなり、従来、それを設置する船は、通常の船体を使用しているため、採泥場所への運搬が大掛かりであった。また採泥器自体も、重い錘が設けられているため、取り扱いも比較的大掛かりとなっていた。
【先行技術文献】
【特許文献】
【０００５】
【特許文献１】特公平３−２７０６０号公報
【特許文献２】特許第４１６４４３９号公報
【発明の概要】
【発明が解決しようとする課題】
【０００６】
本発明では、採泥用の船体を軽量に構成して、運搬や取扱いを容易に行えるようにすることを第１の課題とし、また採泥器自体の取り扱いを容易とすることを第２の課題とする。
【課題を解決するための手段】
【０００７】
本発明は、上記課題を解決するために、まず、インフレータブルボートの気胴上に作業用デッキを設置すると共に、底布と作業用デッキの対応個所の夫々に、ピストンコアラーを挿通させるための開口部を形成すると共に、作業用デッキの上側にピストンコアラーを吊持するための櫓とウインチ機構を設置した採泥用ボートを提案する。
【０００８】
また本発明では、上記の構成において、底布の上方に周囲壁を設置し、この周囲壁に底布を水密的に固定して開口部の防水加工を行うことを提案する。
【０００９】
また本発明では、上記の構成において、インフレータブルボートの側方にアウトリガー浮体を設置した採泥用ボートを提案する。
【００１０】
また本発明では、以上に記載の採泥用ボートと、この採泥用ボートに設置した櫓により吊持されるピストンコアラーとから構成される採泥装置を提案する。
【００１１】
また本発明では、上記の構成において、ピストンコアラーは、採泥用管体の上部に配置する主ウェイトを、ケースと、ケース内に収容する複数のウェイトとから構成した採泥装置を提案する。
【００１２】
また本発明では、上記の構成において、ケースを採泥用管体に沿って移動可能とした採泥装置を提案する。
【発明の効果】
【００１３】
本発明によれば、採泥器を設置する船体としてインフレータブルボートを用いているため、ピストンコアラーと、その関連要素を水面上に安定的に支持することができ、また通常の船体を使用するものと比較して非常に軽量に構成することができ、運搬や取扱いを容易とすることができる。
【００１４】
インフレータブルボートは、側方にアウトリガー浮体を設置することにより、更なる安定化を図ることができる。
【００１５】
ピストンコアラーは、採泥用管体の上部に配置する主ウェイトを、ケースと、ケース内に収容する複数のウェイトとから構成すれば、複数のウェイトをケースから取り外して取り扱うことができ、従ってピストンコアラーの要素の取扱いが非常に容易となり、個々のウェイトの軽量化を図ることができるので作業の安全性も高くなる。
【００１６】
ケースを採泥用管体に沿って移動可能に構成すれば、取扱いが更に容易とすることができる。
【図面の簡単な説明】
【００１７】
【図１】図１は本発明の採泥用ボートの実施の形態を示す模式的斜視図である。
【図２】図２は本発明の採泥用ボートの構成要素であるインフレータブルボートの模式的平面図である。
【図３】図３は図２のインフレータブルボートに作業用デッキを設置した状態を示す模式的平面図である。
【図４】図４は図３のＡ−Ａ線模式的断面図である。
【図５】図５はピストンコアラーの構成及び動作を示す模式的断面図である。
【図６】図６はピストンコアラーの主ウェイトの構成を示す模式的断面図である。
【図７】図７はインフレータブルボートの側方にアウトリガー浮体を取り付けた状態を示す模式的平面図である。
【発明を実施するための形態】
【００１８】
以下、本発明の実施の形態について詳細に説明する。
【００１９】
図に示すように、本発明の実施の形態において、採泥用ボート１は、インフレータブルボート２の気胴３上に作業用デッキ４を設置すると共に、底布５と作業用デッキ４の対応個所の夫々に、後述するピストンコアラー６を挿通させるための開口部７、８を形成すると共に、作業用デッキ４の上側にピストンコアラー６を吊持するための櫓９とウインチ機構を設置した構成である。図において符号１０はウインチ機構の構成要素の滑車であり、櫓９に垂下支持している。また符号１１はウインチ本体である。後述するように、ウインチ機構は、ピストンコアラー６の吊持用と引揚げ用に使用するもので、滑車１０は吊持用と引揚げ用のワイヤーを巻掛け可能に構成する。
【００２０】
尚、図１において符号１２は船外機であり、また１３はこの船外機１２やウインチ本体１１を動作させるためのバッテリーであり、これらの船外機１２やウインチ本体１１を動作させるためのバッテリー等の機構は適宜に構成することができる。
【００２１】
図４に示すように、底布４の上方に周囲壁１４を設置し、この周囲壁１４に底布４を水密的に固定して開口部８の防水加工を行うことができる。
【００２２】
図５に示すように本発明の実施の形態においては、採泥器としてピストンコアラー６を用いる。このピストンコアラー６は、採泥用管体１５の下端に泥ストッパーとして作用する弁体１６を有するヘッド部１７を設け、採泥用管体１５内にワイヤー１８に吊持されたピストン１９を設けると共に、上部に主ウェイト２０と吊持部２１を設けた構成とすると共に、吊持部２１を吊持する天秤部２２にトリガー用の副ウェイト２３を設けた構成を基本とする。この天秤部２２は上述したウインチ機構により、滑車１０を介してワイヤー２４により吊持し、天秤部２２は解除可能な係合部２５により、係合支持するものである。更に、ウインチ機構の構成要素として、採泥用管体１５の吊持部２１を引っ掛ける回収フック２６を上記滑車１０を介してワイヤー２７により上昇させて、採泥用管体１５を引き揚げ、回収する構成としている。
【００２３】
またこの実施の形態において、ピストンコアラー６の主ウェイト２０は、ケース２８と、ケース８内に収容する複数のウェイト２９とから構成しており、この構成のピストンコアラー６では、複数のウェイト２９をケース２８から取り外して取り扱うことができ、従ってピストンコアラー６の要素の取扱いが非常に容易となり、また個々のウェイト２９は軽量化を図ることができるので、作業の安全性を高めることができる。
【００２４】
また上述したように、主ウェイト２０は、ケース２８を採泥用管体１５に沿って移動可能に構成すれば、更に取扱いが容易となる。
【００２５】
以上に示すように本発明では、ピストンコアラー６を設置する船体としてインフレータブルボート２を用いているため、ピストンコアラー６と、その関連要素を水面上に安定的に支持することができ、また通常の船体を使用するものと比較して非常に軽量に構成することができ、運搬や取扱いを容易とすることができる。
【００２６】
図７に示すようにインフレータブルボート２の側方にアウトリガー浮体３０を設ければ、更なる安定化を図ることができる。
【００２７】
このようにして本発明に係る採泥用ボートは、海、河川、湖沼における底の泥土等の採取個所まで船外機１２により移動し、所定の場所において、図５（ａ）に示すように、ピストンコアラー６を、櫓８の上部に垂下支持した滑車１０を介してウインチ機構のワイヤー２４により採泥用ボートの作業用デッキ５の開口部７に位置させて吊持支持し、この状態でウインチ本体１１を動作させて採泥用管体１５を副ウェイト２３と共に下降させる。
【００２８】
副ウエイト２３と採泥用管体１５は作業用デッキ５の開口部７からインフレータブルボート２の底布４の開口部８を経て水中に下降して行き、副ウェイト２３が海底等に達すると、天秤部２２のバランスが崩れて係合部２５による採泥用管体１５の吊持部２１との係合が外れる。
【００２９】
このように吊持部２１が係合部２５から外れると、図５（ｂ）に示すように採泥用管体１５は主ウェイト２０の重量により自由落下して、海底等に貫入し、主ウェイト２０の重量と、海底等の堅さ等を条件とする深さまで貫入して停止する。
【００３０】
採泥用管体１５の下端のヘッド部１７が海底等に到達する時点においては、図５（ｃ）に示すようにワイヤー１８が緊張し、この後、採泥用管体１５が海底等に更に貫入して行くと、図５（ｄ）に示すように、ピストン１９がワイヤー１８により引っ張られて、採泥用管体１５に対して相対的に上昇し、これにより負圧が生じて、海底等の泥土等が泥ストッパーとして作用する弁体１６を有するヘッド部１７から採泥用管体１５内に吸引される。
【００３１】
こうして採泥用管体１５内に対象場所の泥土等が吸入された後、先端に回収フック２６を設けたワイヤー２７を、櫓８の上部に垂下支持した滑車１０を介して垂下させて、回収フック２６を採泥用管体１５の吊持部２１に引っ掛け、この状態においてウインチ機構を動作させて採泥用管体１５を上昇させて、採泥用ボートの作業用デッキ５上に回収する。この際、採泥用管体１５の下端のベッド部１７には弁体１６を設けているため、この弁体１６が泥ストッパーと作用して、採泥用管体１５内に吸入した泥土等が排出されてしまうことがない。
【産業上の利用可能性】
【００３２】
本発明は以上の通りであるので、海、河川、湖沼における底の泥土等を採取するための採泥用ボート及び採泥装置として利用可能性が非常に高い。
【００３３】
特に本発明では、採泥器を設置する船体としてインフレータブルボートを用いているため、浅瀬を航行することができ、従来の通常の船体では不可能であった浅瀬における採泥にも良好に利用することができる。
【符号の説明】
【００３４】
１            採泥用ボート
２            インフレータブルボート
３            気胴
４            作業用デッキ
５            底布
６            ピストンコアラー
７、８        開口部
９            櫓
１０          滑車
１１          ウインチ本体
１２          船外機
１３          バッテリー
１４          周囲壁
１５          採泥用管体
１６          弁体
１７          ヘッド部
１８          ワイヤー
１９          ピストン
２０          主ウェイト
２１          吊持部
２２          天秤部
２３          副ウェイト
２４          ワイヤー
２５          係合部
２６          回収フック
２７          ワイヤー
２８          ケース
２９          ウェイト
３０          アウトリガー浮体
【図１】
2010285133.tif 000003
【図２】
2010285133.tif 000004
【図３】
2010285133.tif 000005
【図４】
2010285133.tif 000006
【図５】
2010285133.tif 000007
【図６】
2010285133.tif 000008
【図７】
2010285133.tif 000009